(57)【特許請求の範囲】
【請求項１】
工場乃至現場サイトにて、外膜と内膜とを重ねて一緒にロール状に巻き取り、この巻き取りロールを取り付け現場に搬入し、該取り付け現場にて、その巻き取りロールから上記外膜と内膜とを同時に引き出して膜材張設架構に展張することで、相互間に空間を有する二重膜構造を同時に張設することを特徴とする二重膜の同時張設施工方法。
【請求項２】
工場乃至現場サイトにて、張設に要する所定幅で幅方向に一体の外膜と幅方向に二分割した内膜とを相互に外縁を揃えて重ねて一緒にロール状に巻き取り、この巻き取りロールを取り付け現場に搬入し、該取り付け現場にて、その巻き取りロールから上記外膜と内膜とを同時に引き出して両膜の外縁を共に膜材張設架構に架設した後、その外膜を中間部にて下方へと引き込みし、かつ、上記内膜の左右両内縁を接合させて下方へと引き込みすることで、相互間に空間を有する二重膜構造を同時に張設することを特徴とする二重膜の同時張設施工方法。
【請求項３】
巻き取りロールを移動式スプレッダーに装備させて、該移動式スプレッダーを膜材張設架構上に位置させるとともに、その膜材張設架構に沿って移動させつつ外膜と内膜とを上記巻き取りロールから同時に引き出して膜材張設架構に張設する請求項１又は請求項２記載の二重膜の同時張設施工方法。
【請求項４】
巻き取りロールを吊上げ式スプレッダーに装備させて、該吊上げ式スプレッダーを揚重機で吊り上げて膜材張設架構の上方に位置させるとともに、その膜材張設架構に沿って移動させつつ外膜と内膜とを上記巻き取りロールから同時に引き出して膜材張設架構に張設する請求項１又は請求項２記載の二重膜の同時張設施工方法。
【請求項５】
巻き取りロールから同時に引き出した外膜と内膜との外縁を、膜材張設架構に対して、膜定着ボルト・ナットでまず仮止めし、所要範囲の仮止め終了後、各部につき総合的に位置調整をし、次いで、それらの膜定着ボルト・ナットを本締めして架設する請求項１、請求項２、請求項３又は請求項４記載の二重膜の同時張設施工方法。
【発明の詳細な説明】
【０００１】
【発明の属する技術分野】
本発明は、屋根を外膜と内膜との二重構造とした膜構造物における二重膜の同時張設施工方法に関するものである。
【０００２】
【従来の技術】
屋根を外膜と内膜との二重構造とした膜構造物は、既に知られているが、このように二重膜とする主な理由は、外膜の内面に生ずる結露の雫を内膜に受けて排除すること、外膜上に積もる雪を外膜と内膜との間に暖気を通すことで滑落させること等にある。
この場合の二重膜の張設施工は、通常、膜材張設用鉄骨架構において、まず、内膜のみを張設し、次いで、外膜を張設している。
【０００３】
【発明が解決しようとする課題】
しかし、このような施工では、
▲１▼  平面上の同じ場所を同様の方法で二度施工する必要があり、取り付けに要する工数が大きい。
▲２▼  膜工事は高所での作業となることが多い上に、上述のように平面上同じ場所を二度施工するので、作業の危険性が高い。
▲３▼  膜張設工程に長時間を要するため、内部仕上げ工事に対し雨水侵入等の悪影響を及ぼし易い。
▲４▼  大型揚重機の拘束時間が長くなる。
▲５▼  総じて、かなりのコスト高となる。
等の問題点があつた。
そこで、本発明は、二重膜を同時施工することで、膜の張設工程を低減し、高所作業を少なくして、張設効率及び安全性の向上を図り、併せて、コストダウンを得ようとするものである。
【０００４】
【課題を解決するための手段】
上記目的達成のため、請求項１の発明は、工場乃至現場サイトにて、外膜と内膜とを重ねて一緒にロール状に巻き取り、この巻き取りロールを取り付け現場に搬入し、該取り付け現場にて、その巻き取りロールから上記外膜と内膜とを同時に引き出して膜材張設架構に展張することで、相互間に空間を有する二重膜構造を同時に張設することを特徴とする。
【０００５】
請求項２の発明は、工場乃至現場サイトにて、張設に要する所定幅で幅方向に一体の外膜と幅方向に二分割した内膜とを相互に外縁を揃えて重ねて一緒にロール状に巻き取り、この巻き取りロールを取り付け現場に搬入し、該取り付け現場にて、その巻き取りロールから上記外膜と内膜とを同時に引き出して両膜の外縁を共に膜材張設架構に架設した後、その外膜の中間部を下方へと引き込みし、かつ、上記内膜の左右両内縁を接合させて下方へと引き込みすることで、相互間に空間を有する二重膜構造を同時に張設することを特徴とする。
【０００６】
請求項３の発明は、上記請求項１又は請求項２の発明にあって、巻き取りロールを移動式スプレッダーに装備させて、該移動式スプレッダーを膜材張設架構上に位置させるとともに、その膜材張設架構に沿って移動させつつ外膜と内膜とを上記巻き取りロールから同時に引き出して膜材張設架構に張設することを特徴とする。
【０００７】
請求項４の発明は、上記請求項１、請求項２又は請求項３の発明にあって、巻き取りロールを吊上げ式スプレッダーに装備させて、該吊上げ式スプレッダーを揚重機で吊り上げて膜材張設架構の上方に位置させるとともに、その膜材張設架構に沿って移動させつつ外膜と内膜とを上記巻き取りロールから同時に引き出して膜材張設架構に張設することを特徴とする。
【０００８】
また、請求項５の発明は、上記請求項１、請求項２、請求項３又は請求項４の発明にあって、巻き取りロールから同時に引き出した外膜と内膜との外縁を、膜材張設架構に対して、膜定着ボルト・ナットでまず仮止めし、所要範囲の仮止め終了後、各部につき総合的に位置調整をし、次いで、それらの膜定着ボルト・ナットを本締めして架設することを特徴とする。
【０００９】
【発明の実施の形態】
図面は、上記請求項１乃至請求項５の発明に係る実施の形態を示している。  図１は、外膜１を張設に要する所定幅で幅方向に一体のものとし、内膜２を幅方向に二分割体としたものについての作業手順を示している。これを図１に従って説明する。
（１）  工場乃至現場サイトにて、張設に要する所定幅で、幅方向に一体の外膜１と、幅方向に二分割した内膜２とを、相互に外縁を揃えて重ねて一緒にロール状
に巻き取り、この巻き取りロール３を取り付け現場に搬入する。
（２）  取り付け現場では、その巻き取りロール３から外膜１と内膜２とを同時に引き出して両膜１，２の外縁を共に膜材張設架構４の上位部材５に架設した後、その外膜１の中間部を膜材張設架構４の下位部材６から起立させたタイロッド
７等により外膜用押さえケーブル８等を介して下方へと引き込みする。
（３）  続いて、内膜２における左右の内膜材９，１０の両内縁を水密に接合させるとともに、内膜用押さえケーブル１１等を介して上記タイロッド７等の中間点に連繋させることにより下方へと引き込みし、もって、外膜１と内膜２とが大小に角度の異なるＶ字状をなし、かつ、相互間に空間１２を有する二重膜構造を同時
に張設する。
なお、ここでは、内膜２を二分割体としたが、一体のものでも同様に施工できる。ただし、この場合には、外膜１に比較して広幅の内膜２は、適宜に畳み込んでロール状に巻き取る必要がある。また、タイロッド７等、外膜用押さえケーブル８等を組み付けるためには、内膜２の要所にスリット等を形成すればよい。
【００１０】
取り付け現場での展張用手段には、その一つとして、図２、図３に示す移動式スプレッダー１３による場合がある。この場合は、上記巻き取りロール３を移動式スプレッダー１３に装備させて、該移動式スプレッダー１３を膜材張設架構４の上位部材５上に位置させるとともに、該上位部材５上を膜材張設架構４に沿ってチルクライマー１４によりゆっくりと移動させつつ、外膜１と内膜２とをその巻き取りロール３から同時に引き出して、膜材張設架構４に張設する。この移動式スプレッダー１３は、傾斜の度合いが比較的小さい箇所に適している。
【００１１】
展張用手段の他の一つとして、図４に示す吊上げ式スプレッダー１８による場合がある。この場合は、上記巻き取りロール３を吊上げ式スプレッダー１８に装備させて、該吊上げ式スプレッダー１８を揚重機１９で吊り上げて膜材張設架構４の上方に位置させるとともに、その膜材張設架構４に沿って移動させつつ、外膜１と内膜２とをその巻き取りロール３から同時に引き出して、膜材張設架構４に張設する。この吊上げ式スプレッダー１８は、移動式スプレッダー１３の使用が困難な、傾斜の度合いが比較的大きな箇所に適している。
【００１２】
なお、移動式スプレッダー１３及び吊上げ式スプレッダー１８の移動は、常に移動方向に対し直角を維持させ、これを確認しながら５ｍ程度を１単位として行うとよい。移動式スプレッダー１３において、膜材張設架構４の上位部材５の間隔が変化する場合には、車輪幅を適時に調整して行く。
図２、図３、図４において、１５，１６，１７は、仮設吊り足場である。
【００１３】
如上の同時張設施工方法を適用する構造物の具体例としては、図５乃至図１６に示す各種競技施設、体育館等に適したドーム型の膜構造物がある。
このドーム型膜構造物は、図５乃至図７に示すように、鉄骨によるドーム型の膜材張設架構４を構築し、この膜材張設架構４の上に前述のようにして外膜１と内膜２とを同時に張設する。
この膜材張設架構４は、図６乃至図８に示すように、それぞれ一対の平行部材から成る上弦材２１、下弦材２２と（図３参照）、それらの平行部材間に挟着状に組み付けた束材２３及びブレース材２４とから成る大小の彎曲トラス２０を、所定間隔に配列するとともに、各束材２３の中間部において、それぞれ一対の平行部材から成る短辺アーチ材２５を直交させて、全体形状をドーム型に形成する。
各上弦材２１の上には、それぞれ桁材２６を付設し、これらの桁材２６を前記上位部材５とし、かつ、それらの短辺アーチ材２５を前記下位部材６として、外膜１と内膜２とを同時張設する。
図５、図６において、２７は、適所に設けた頂部換気口部である。
【００１４】
桁材２６には、図９に示すように、上面の縁部に所定ピッチで多数の膜定着ボルト２８を溶接にて植設し、また、これらの桁材２６の上面にベースゴムシート２９を敷設する。なお、移動式スプレッダー１３を使用する桁材２６では、ベースゴムシート２９を左右の二分割体として、移動式スプレッダー１３の車輪を載せ得るようにするとよい。
【００１５】
張設する重ねた外膜１と内膜２には、張設の強度、安定性等を確保するため、予め、両者の外縁に共用のロープ３０（図９）を、外膜１の幅方向中央部に専用のロープ３１（図１３）を、また、内膜２における左右の内膜材９，１０の両内縁にもそれぞれの専用のロープ３２，３３（図１５）を、各々材長方向に付設しておく。
【００１６】
そして、かかる外膜１と内膜２とによる巻き取りロール３を移動式スプレッダー１３又は吊上げ式スプレッダー１８により５ｍ程度を単位として前述のようにして展張するが、この展張の際には、重ねた外膜１と内膜２とを同時に引き出し、図９に示すように、両者の外縁部を桁材２６のベースゴムシート２９上に載置するとともに、両者の外縁部にそれぞれの膜定着ボルト２８を貫通させ、これらの膜定着ボルト２８にゴムシート３４、押さえ板３５等を嵌め、ナット３６を螺合させて、まずはその外縁部を仮止めし、次いでスプレッダーの移動した分だけ順次に位置調整して本締めして行く。また、それらの上をフラップ膜３７等で覆う。
【００１７】
外膜１の中間部には、図１０、図１１、図１３、図１４に示すように、上面に補強布３８を当てて、該補強布３８共々下面両側から横帯状の外膜定着プレート３９を、ゴムシート４０を介して断面Ｙ字状となるように挟着させる。この挟着には、タイロッド７の位置においてはＵプレート４１（図１０、図１１）を、その他の各所ではＵ型吊り金物４２（図１３、図１４）を、それぞれ両側の外膜定着プレート３９の外側に当ててボルト・ナット４３により締着する。
それらのＵ型吊り金物４２には、図１３、図１４に示すように、外膜用押さえケーブル８を通し、この外膜用押さえケーブル８の適所には、図１０、図１１に示すように、ケーブルクランプ４４を締め付け、該ケーブルクランプ４４にはタイロッド７の上端に連設した羽子板プレート４５を、ダンパープレート４６を介してボルト・ナット４７，４８で接合し、そのタイロッド７の下端を膜材張設架構４の下位部材６たる短辺アーチ材２５の適所に固定したアンカーベース４９に、ナット５０によりゴムワッシャー５１及び平座金５２を介して高さ調整可能に連繋させて、外膜用押さえケーブル８従って外膜１の中間部を下方へ引き込みする。
【００１８】
内膜２における左右の内膜材９，１０の内縁部は、タイロッド７の位置以外においては、図１５に示すように、両側から防水シール５３を介して水密に突き合わせ、両外側に横帯状の内膜定着プレート５５をゴムシート５４を介して挟着させる。この挟着には、各所でＵ型プレート５６をそれぞれ両側の内膜定着プレート５５の外側に当ててボルト・ナット５７により定着する。また、タイロッド７の位置では、図１０乃至図１３に示すように、防水シール５３の中間に上記羽子板プレート４５を直交状に挿通させる。ただし、該部では、羽子板プレート４５の存在で厚みが増すので、内膜定着プレート５５を部分的に分割体とし、これらを別途にボルト・ナット５８で直接的に締結する。
そして、それらのＵ型プレート５６には、図１５、図１６に示すように、内膜用押さえケーブル１１を通し、この内膜用押さえケーブル１１を上記羽子板プレート４５にワイヤークリップ５９で固定して、内膜用押さえケーブル１１従って内膜２の中間部をタイロッド７により下方へと引き込みする。ただし、外膜１と内膜２との間の調整は、上記ダンパープレート４６と羽子板プレート４５との連繋深度を調整することで行う。
【００１９】
このように断面Ｖ字状の二重構造となった膜屋根の外膜１と内膜２との間の空間１２には、暖気を通すようにする。これにより、外膜１上に積もる雪を滑落させることができる。また、内膜２は、外膜１の内面に生ずる結露の雫を受けて排除し、膜構造物内部へ垂れるのを防止する。
【００２０】
【発明の効果】
請求項１乃至請求項５の発明によれば、外膜及び内膜の取り付け現場において、外膜と内膜とを重ねて一緒に巻き取った巻き取りロールから外膜と内膜とを同時に引き出して膜材張設架構に展張し、相互間に空間を有する二重膜構造を同時に張設するので、
▲１▼  平面上の同じ場所を同様の方法で二度施工する必要はなく、取り付けに要する工数を大幅に削減することができる。
▲２▼  高所での作業が少なくなり、作業の危険性を低減させることができる。
▲３▼  膜張設工程を大幅に削減できて、工期を短縮でき、内部仕上げ工事における雨水侵入等の悪影響を少なくできる。
▲４▼  大型揚重機の拘束時間を短縮でき、延べ台数を減らすことができる。
▲５▼  仮設工事を大幅に低減できる。
▲６▼  総じて、大幅にコストダウンできる。
▲７▼  類似工事への水平展開が期待できる。
【００２１】
加えて、請求項２の発明によれば、内膜を二分割にしているので、内膜の張設に要する幅が広くとも、ロール状の巻き取りに当たり外膜と内膜を支障なく容易に重ねることができ、かつ、その巻き取りも容易に行える。
しかも、二分割体の自在性から張設作業が容易に行える。
【００２２】
更に、請求項３の発明によれば、巻き取りロールを移動式スプレッダーに装備させて、該移動式スプレッダーを膜材張設架構上で該膜材張設架構に沿って移動させつつ外膜と内膜とを上記巻き取りロールから同時に引き出して膜材張設架構に張設するので、傾斜の度合いが比較的小さな箇所において、その展張作業を機械的に円滑に、容易に、迅速に、しかも、安全に行える。
【００２３】
また、請求項４の発明によれば、巻き取りロールを吊上げ式スプレッダーに装備させて、該吊上げ式スプレッダーを揚重機で吊り上げて膜材張設架構の上方に位置させるとともに、その膜材張設架構に沿って移動させつつ外膜と内膜とを上記巻き取りロールから同時に引き出して膜材張設架構に張設するので、傾斜の度合いが大きい箇所であっても、その展張作業を機械的に円滑に、容易に、迅速に、かつ、安全に行える。
【００２４】
そして、請求項５の発明によれば、巻き取りロールから同時に引き出した外膜と内膜との外縁を、膜材張設架構に対して、膜定着ボルト・ナットでまず仮止めし、所要範囲の仮止め終了後、各部につき総合的に位置調整をし、次いで、それらの膜定着ボルト・ナットを本締めして架設するので、外膜及び内膜をバランスよく適正に張設することができる。
【図面の簡単な説明】
【図１】本発明の二重膜の同時張設施工方法に係る実施の形態を示す作業手順説明図である。
【図２】同実施の形態における移動式スプレッダーによる作業状態を示す説明斜視図である。
【図３】図２における截断正面図である。
【図４】同実施の形態における吊上げ式スプレッダーによる作業状態を示す説明斜視図である。
【図５】本発明の二重膜の同時張設施工方法を採用したドーム型の膜構造物を示す平面図である。
【図６】図５のＡ−Ａ線断面図である。
【図７】図５のＢ−Ｂ線断面図である。
【図８】図６の一部を拡大して示す截断正面図である。
【図９】図８の要部を更に拡大して示す截断正面図である。
【図１０】図８の他の要部を更に拡大して示す截断正面図である。
【図１１】図１０に示す部分の截断側面図である。
【図１２】図１１のＣ−Ｃ線拡大断面図である。
【図１３】同膜構造物の外膜の幅方向中央部分でかつタイロッド非接合部における拡大縦断正面図である。
【図１４】図１３に示す部分の截断側面図である。
【図１５】同膜構造物の内膜の幅方向中央部分でかつタイロッド非接合部における拡大縦断正面図である。
【図１６】図１５に示す部分の截断側面図である。
【符号の説明】
１…外膜                        ２…内膜
３…巻き取りロール              ４…膜材張設架構
５…上位部材                    ６…下位部材
７…タイロッド                  ８…外膜用押さえケーブル
９，１０…内膜材                  １１…内膜用押さえケーブル
１２…空間                        １３…移動式スプレッダー
１４…チルクライマー              １５，１６，１７…仮設吊り足場
１８…吊上げ式スプレッダー        １９…揚重機
２０…彎曲トラス                  ２１…上弦材
２２…下弦材                      ２３…束材
２４…ブレース材                  ２５…短辺アーチ材
２６…桁材                        ２７…頂部換気口部
２８…膜定着ボルト                ２９…ベースゴムシート
３０，３１，３２，３３…ロープ          ３４…ゴムシート
３５…押さえ板                    ３６…ナット
３７…フラップ膜                  ３８…補強布
３９…外膜定着プレート            ４０…ゴムシート
４１…Ｕプレート                  ４２…Ｕ型吊り金物
４３…ボルト・ナット              ４４…ケーブルクランプ
４５…羽子板プレート              ４６…ダンパープレート
４７，４８…ボルト・ナット          ４９…アンカーベース
５０…ナット                      ５１…ゴムワッシャー
５２…平座金                      ５３…防水シール
５４…ゴムシート                  ５５…内膜定着プレート
５６…Ｕ型プレート                ５７，５８…ボルト・ナット
５９…ワイヤークリップ
【図１】
0003604510.tif 000002
【図２】
0003604510.tif 000003
【図３】
0003604510.tif 000004
【図４】
0003604510.tif 000005
【図５】
0003604510.tif 000006
【図６】
0003604510.tif 000007
【図７】
0003604510.tif 000008
【図８】
0003604510.tif 000009
【図９】
0003604510.tif 000010
【図１０】
0003604510.tif 000011
【図１１】
0003604510.tif 000012
【図１２】
0003604510.tif 000013
【図１３】
0003604510.tif 000014
【図１４】
0003604510.tif 000015
【図１５】
0003604510.tif 000016
【図１６】
0003604510.tif 000017